(57)【要約】【課題】求められる美観及び機能に応じて天板端部の下方を閉鎖することと天板端部の下方を開放することとを選択可能とする連結デスクを提供する。【解決手段】連結デスクは、複数の天板パネルが並ぶことで形成された天板と、天板の下方に形成された空間である下方空間において天板の端部側に配置された脚体であるエンド脚体と、下方空間においてエンド脚体よりも内側に配置された脚体である内側脚体と、天板の下面に沿って内側脚体からエンド脚体まで延在し、被収容物を収容可能なダクトと、を有し、内側脚体には、深さの異なる少なくとも２種類のダクトを選択的に取り付け可能であり、内側脚体に相対的に深いダクトを取り付ける場合、エンド脚体を、天板の端部の下方を閉鎖するパネル脚体とし、内側脚体に相対的に浅いダクトを取り付ける場合、エンド脚体を、天板の端部の下方を開放するオープン脚体とする。【選択図】図１
2020069330.tif 000002
【特許請求の範囲】
【請求項１】
天板パネルと前記天板パネルを下方から支持する脚体とを有する複数のデスクが、隣接する前記デスク同士で前記脚体を共有することで連結された連結デスクであって、
複数の前記天板パネルが並ぶことで形成された天板と、
前記天板の下方に形成された空間である下方空間において前記天板の端部側に配置された前記脚体であるエンド脚体と、
前記下方空間において前記エンド脚体よりも内側に配置された前記脚体である内側脚体と、
前記天板の下面に沿って前記内側脚体から前記エンド脚体まで延在し、被収容物を収容可能なダクトと、を有し、
前記内側脚体には、深さの異なる少なくとも２種類のダクトを選択的に取り付け可能であり、
前記内側脚体に相対的に深い前記ダクトを取り付ける場合、前記エンド脚体を、前記天板の端部の下方を閉鎖するパネル脚体とし、
前記内側脚体に相対的に浅い前記ダクトを取り付ける場合、前記エンド脚体を、前記天板の端部の下方を開放するオープン脚体とする、
連結デスク。
【請求項２】
前記相対的に浅いダクトの前記オープン脚体側の端部は、深さが前記オープン脚体に向かって徐々に減少するテーパ状となっている、
請求項１に記載の連結デスク。
【請求項３】
前記内側脚体は、複数の前記ダクトを取付可能であり、
前記内側脚体に取り付けられた複数の前記ダクトは、互いに異なる方向に延在する、
請求項１又は２に記載の連結デスク。
【請求項４】
前記相対的に浅いダクトの前記オープン脚体側の端部には、前記下方空間の外側に張り出したパネル支持部を取り付け可能であり、
前記パネル支持部には、前記天板の隣に追加されることで当該天板を拡張する拡張天板パネルが支持される、
請求項１から３の何れか一項に記載の連結デスク。
【請求項５】
前記相対的に浅いダクトの前記オープン脚体側の端部には、前記下方空間の外側に張り出したモニタ支持部を取り付け可能であり、
前記モニタ支持部には、モニタが支持される、
請求項１から４の何れか一項に記載の連結デスク。
【発明の詳細な説明】
【技術分野】
【０００１】
本発明は、連結デスクに関する。
【背景技術】
【０００２】
従来、天板と、天板を直接的又は間接的に支持可能な複数の脚部材と、を備えるデスクが広く利用されている。これに関連して、隣接するデスクと脚部材を共有し、又は正対するデスクと互いの脚部材を接続することにより連結される連結デスクが提案されている（例えば、特許文献１）。従来技術の連結デスクは、天板の両端を支持する一対のエンド脚体と、一対のエンド脚体の間で天板を支持する中間脚体（内側脚体）と、中間脚体とエンド脚体とを接続する一対の横梁部材と、を備えており、一対の横梁部材（ビーム）が対向配置されることで、配線等を収容可能なケースウェイ（ダクト）が形成される。
【先行技術文献】
【特許文献】
【０００３】
【特許文献１】特開２０１６−２１４６８０号公報
【発明の概要】
【発明が解決しようとする課題】
【０００４】
従来技術の連結デスクでは、エンド脚体がパネル状となっているため、天板端部の下方が閉鎖され、ダクトが外部から見え難くなっており、連結デスクの美観が確保されている。一方で、連結デスクの美観については、天板端部の下方を開放し、足元をすっきり見せたいという要望もあり、機能については、エンド脚体側に人が着座可能とさせたいという要望もある。
【０００５】
本発明は、上記の点に鑑みてなされたものであり、求められる美観及び機能に応じて天板端部の下方を閉鎖することと天板端部の下方を開放することとを選択可能とする連結デスクを提供することを目的とする。
【課題を解決するための手段】
【０００６】
上記課題を解決するために、本発明は、以下の構成を採用した。即ち、本発明は、天板パネルと前記天板パネルを下方から支持する脚体とを有する複数のデスクが、隣接する前記デスク同士で前記脚体を共有することで連結された連結デスクであって、複数の前記天板パネルが並ぶことで形成された天板と、前記天板の下方に形成された空間である下方空間において前記天板の端部側に配置された前記脚体であるエンド脚体と、前記下方空間において前記エンド脚体よりも内側に配置された前記脚体である内側脚体と、前記天板の下面に沿って前記内側脚体から前記エンド脚体まで延在し、被収容物を収容可能なダクトと、を有し、前記内側脚体には、深さの異なる少なくとも２種類のダクトを選択的に取り付け可能であり、前記内側脚体に相対的に深い前記ダクトを取り付ける場合、前記エンド脚体を、前記天板の端部の下方を閉鎖するパネル脚体とし、前記内側脚体に相対的に浅い前記ダクトを取り付ける場合、前記エンド脚体を、前記天板の端部の下方を開放するオープン脚体とする、連結デスクである。
【０００７】
また、本発明は、前記相対的に浅いダクトの前記オープン脚体側の端部は、深さが前記オープン脚体に向かって徐々に減少するテーパ状となっていてもよい。
【０００８】
また、前記内側脚体は、複数の前記ダクトを取付可能であり、前記内側脚体に取り付けられた複数の前記ダクトは、互いに異なる方向に延在してもよい。
【０００９】
また、前記相対的に浅いダクトの前記オープン脚体側の端部には、前記下方空間の外側に張り出したパネル支持部を取り付け可能であり、前記パネル支持部には、前記天板の隣に追加されることで当該天板を拡張する拡張天板パネルが支持されてもよい。
【００１０】
また、前記相対的に浅いダクトの前記オープン脚体側の端部には、前記下方空間の外側に張り出したモニタ支持部を取り付け可能であり、前記モニタ支持部には、モニタが支持されてもよい。
【００１１】
本発明によれば、求められる美観及び機能に応じて天板端部の下方を閉鎖することと天板端部の下方を開放することとを選択可能とする連結デスクを提供することができる。
【図面の簡単な説明】
【００１２】
【図１】図１は、第１実施形態に係る連結デスクの一例を示す全体斜視図である。
【図２】連結デスクを示す図であり、図２（Ａ）は、図１に示す連結デスクの正面図、図２（Ｂ）は、右側面図である。
【図３】図３は、図１に示す連結デスクの分解図である。
【図４】図４は、パネル脚体の斜視図である。
【図５】図５は、内側脚体の右側面図である。
【図６】図６は、ビームの斜視図である。
【図７】図７は、図２（Ａ）におけるＡ−Ａ断面図である。
【図８】図８は、図１に示すダクトの延在方向に直交する断面図であって、ダクトに配線トレイが架設された状態を示す図である。
【図９】図９は、第１実施形態に係る連結デスクの一例を示す全体斜視図である。
【図１０】連結デスクを示す図であり、図１０（Ａ）は、図９に示す連結デスクの正面図、図１０（Ｂ）は、右側面図である。
【図１１】図１１は、図９に示す連結デスクの分解図である。
【図１２】図１２は、オープン脚体の左側面図である。
【図１３】図１３は、ダクトの斜視図である。
【図１４】図１４は、ダクトの斜視図である。
【図１５】図１５は、図１０（Ａ）におけるＢ−Ｂ断面図である。
【図１６】図１６は、図９に示すダクトの延在方向に直交する断面図であって、ダクトに配線トレイが架設された状態を示す図である。
【図１７】図１７は、使用者の下肢のための空間を説明するための図である。
【図１８】図１８は、第１実施形態の連結デスクにオプションパーツとしての拡張天板パネルが取り付けられた状態を示す図である。
【図１９】図１９は、第１実施形態の連結デスクにオプションパーツとしてのモニタが取り付けられた状態を示す図である。
【図２０】図２０は、第２実施形態に係る連結デスクの一例を示す全体斜視図である。
【図２１】内側脚体を示す図であり、図２１（Ａ）は、内側脚体の上面図、図２１（Ｂ）は、内側脚体の側面図である。
【図２２】図２２は、第３実施形態に係る連結デスクの一例を示す全体斜視図である。
【図２３】内側脚体を示す図であり、図２３（Ａ）は、内側脚体の上面図、図２３（Ｂ）は、内側脚体の側面図である。
【発明を実施するための形態】
【００１３】
次に、本発明に係る連結デスクの実施形態を、図面に基づいて説明する。なお、以下で説明する実施形態は例示であり、本発明は以下の態様には限定されない。
【００１４】
図１は、第１実施形態に係る連結デスクの一例を示す全体斜視図である。図２は、連結デスクを示す図であり、図２（Ａ）は、図１に示す連結デスクの正面図、図２（Ｂ）は、右側面図である。また、図３は、図１に示す連結デスクの分解図である。図１に、連結デスクにおける、前後方向（奥行き方向）、左右方向（幅方向）、上下方向（高さ方向）を示す。
【００１５】
＜連結デスク１００Ａ＞
第１実施形態に係る連結デスク１００は、一部の部材を共通としながらも特定の部材を選択的に取り付け可能とすることにより、少なくとも図１に示す連結デスク１００Ａと図９に示す連結デスク１００Ｂとの２種類の形態をとることができる。まず、図１に示す連結デスク１００Ａについて説明する。図１に示す連結デスク１００Ａは、複数（本例では４枚）の天板パネルＰ１が並ぶことで上面視略矩形状に形成された天板１１と、天板１１の左右両端を下方から支持する一対のエンド脚体としての一対のパネル脚体１２，１２と、当該パネル脚体１２，１２の間に設けられて天板１１を下方から支持する内側脚体１３と、パネル脚体１２と内側脚体１３とを接続する横梁部材である複数（４つ）のビーム１４と、を有する。連結デスク１００Ａは、これらの部材により、前後方向及び左右方向において対称となるように形成されている。天板１１によって、連結デスク１００Ａ付近の空間は、天板１１よりも上方の空間と、天板１１よりも下方の空間（以下、下方空間Ｓ１）とに区画される。本実施形態に係る連結デスク１００Ａは、例えば、連結デスク１００Ａの前後方向に椅子が配置され、天板１１上にＰＣや書類等が載置され、下方空間Ｓ１に椅子に着座した使用者の下肢が収容されて用いられる。ここで、天板パネルＰ１と、当該天板パネルＰ１を支持するパネル脚体１２及び内側脚体１３と、当該パネル脚体１２及び内側脚体１３を接続するビーム１４と、の組み合わせをデスク体１とする。この場合、連結デスク１００Ａは、連結されたデスク体１の集合体と捉えることができる。図１に示す連結デスク１００Ａは、４つのデスク体１が前後左右に２つずつ並んだ状態で互いに連結されることで構成されている。連結デスク１００Ａにおいて左右に隣接する２つのデスク体１は、互いに内側脚体１３を共有しており、前後に隣接する２つのデスク体１は、パネル脚体１２及び内側脚体１３を互いに共有している。
【００１６】
以下、連結デスク１００Ａを構成する一対のパネル脚体１２，１２を区別して説明する場合、右側のパネル脚体１２をパネル脚体１２Ｒと称し、左側のパネル脚体１２をパネル脚体１２Ｌと称し、区別しない場合は、単にパネル脚体１２と称する。また、パネル脚体１２と内側脚体１３とを区別せずに説明するときには、単に脚体と称する。ここで、図１に示すように、一対のパネル脚体１２，１２のそれぞれと内側脚体１３とは、前後に対向配置された一対のビーム１４，１４によって接続されている。連結デスク１００Ａでは、一対のビーム１４，１４が前後に所定の間隔を空けて対向配置されることで、被収容物としての配線等を収容可能なダクト１０が形成されている。ダクト１０は、一対のビーム１４，１４を含んで構成されており、天板１１の下面に沿って内側脚体１３からパネル脚体１２まで延在している。ここで、図１に示す連結デスク１００Ａに形成された２つのダクト１０のうち、内側脚体１３からパネル脚体１２Ｒまで延びるダクト１０をダクト１０Ｒと称し、内側脚体１３からパネル脚体１２Ｌまで延びるダクト１０をダクト１０Ｌと称する。なお、ダクト１０Ｒとダクト１０Ｌとを区別しない場合、単にダクト１０と称する。また、ダクト１０Ｒを形成する一対のビーム１４，１４のうち、前側のビーム１４をビーム１４ＦＲと称し、後側のビーム１４をビーム１４ＢＲと称する。同様に、ダクト１０Ｌを形成する一対のビーム１４，１４のうち、前側のビーム１４をビーム１４ＦＬと称し、後側のビーム１４をビーム１４ＢＬと称する。ビーム１４ＦＲ，１４ＢＲ，１４ＦＬ，１４ＢＬを区別せずに説明するときには、単にビーム１４と称する。以下、連結デスク１００Ａの各構成について説明する。
【００１７】
＜天板１１＞
天板１１は、厚み方向が鉛直方向と一致するように設けられた板部材であり、前後左右方向に２枚ずつ並んだ計４枚の天板パネルＰ１によって、左右幅が奥行きよりも長手な矩形状に形成されている。図１に示すように、各天板パネルＰ１は、略矩形状を形成する板部材であり、その左右の端部がパネル脚体１２又は内側脚体１３の上に架設された状態で、パネル脚体１２又は内側脚体１３の上端と図示しないボルトによって接続される。前後又は左右に隣接する天板パネルＰ１同士は、内側脚体１３を介して連結される。ここで、天板１１を構成する天板パネルＰ１は、左右方向には略隙間なく敷き詰められ、前後方向には所定の間隔を空けて配置されている。この隙間は、後述するダクト１０に開口したダクト開口１１０を形成する。また、天板パネルＰ１は、その下側に任意のサイズの引き出しを備えてもよい。なお、以下の説明において、連結デスク１００Ａの「外側」とは、下方空間Ｓ１の外に向かう側を指し、「内側」とは、下方空間の内に向かう側を指す。また、天板１１を形成する４枚の天板パネルＰ１を区別して説明する場合、前列右側の天板パネルＰ１を天板パネルＰ１ＦＲ、前列左側の天板パネルＰ１を天板パネルＰ１ＦＬ、後列右側の天板パネルＰ１を天板パネルＰ１ＢＲ、後列左側の天板パネルＰ１を天板パネルＰ１ＢＬと、それぞれ称する。また、天板パネルＰ１を区別しないときは、単に天板パネルＰ１と称する。図１に示すように、天板パネルＰ１ＦＲ及び天板パネルＰ１ＢＲの右端部が天板１１の右端部を形成し、天板パネルＰ１ＦＬ及び天板パネルＰ１ＢＬの左端部が天板１１の左端部を形成している。
【００１８】
＜パネル脚体１２＞
図２（Ａ）に示すように、一対のパネル脚体１２，１２は、天板１１の左右両端を下方から支持する。つまり、一対のパネル脚体１２，１２は、下方空間Ｓ１において、天板１１の左右両端側に配置されている。図１に示すように、パネル脚体１２Ｒは、天板１１における天板パネルＰ１ＦＲ及び天板パネルＰ１ＢＲの右端部を下方から支持する。また、パネル脚体１２Ｌは、天板１１における天板パネルＰ１ＦＬ及び天板パネルＰ１ＢＬの左端部を下方から支持する。図２（Ｂ）に示すように、パネル脚体１２は、天板１１の左右両端において下方空間Ｓ１を閉鎖する閉鎖式のエンド脚体である。パネル脚体１２は、側面視において略矩形の板状（パネル状）に形成されており、その厚み方向が左右方向と一致するように設けられている。
【００１９】
図３に示すように、パネル脚体１２は、更に、前後に隣接する一対の脚体パネルＰ２，Ｐ２が連結金具３によって連結されることで形成されている。脚体パネルＰ２は、側面視においてパネル脚体１２の略半分の前後幅を有する略矩形の板状（パネル状）に形成されており、その厚み方向が左右方向と一致するように設けられている。脚体パネルＰ２は、各天板パネルＰ１に対応するように設けられている。図１に示すように、パネル脚体１２Ｒを形成する脚体パネルＰ２，Ｐ２のうち、前側の脚体パネルＰ２ＦＲは、天板パネルＰ１ＦＲの右端部を支持し、後側の脚体パネルＰ２ＢＲは、天板パネルＰ１ＢＲの右端部を支持する。同様に、パネル脚体１２Ｌを形成する脚体パネルＰ２，Ｐ２のうち、前側の脚体パネルＰ２ＦＬは、天板パネルＰ１ＦＬの左端部を支持し、後側の脚体パネルＰ２ＢＬは、天板パネルＰ１ＢＬの左端部を支持する。
【００２０】
図４は、パネル脚体１２Ｒの斜視図である。以下、図４を参照しながらパネル脚体１２Ｒを例としてパネル脚体１２の詳細について説明する。パネル脚体１２Ｌについてはパネル脚体１２Ｒと左右対称となるものであるため、詳細な説明は割愛する。図４では、パネル脚体１２Ｒの内面（即ち、左側面）が図示されている。図４に示すように、パネル脚体１２Ｒを形成する脚体パネルＰ２ＦＲ，Ｐ２ＢＲは、互いに前後対称となるものである。脚体パネルＰ２ＦＲの内面の上部には、一対の取付穴ｈ１，ｈ１が所定の間隔を空けて上下に並んで形成されている。一対の取付穴ｈ１，ｈ１は、それぞれネジ穴に形成されている。脚体パネルＰ２ＦＲの内面には、一対の取付穴ｈ１，ｈ１を利用してビーム１４ＦＲ
の右端が接続される。同様に、脚体パネルＰ２ＢＲの内面の上部にも、一対の取付穴ｈ１，ｈ１が所定の間隔を空けて上下に並んで形成されている。脚体パネルＰ２ＢＲの内面には、一対の取付穴ｈ１，ｈ１を利用してビーム１４ＢＲの右端が接続される。また、パネル脚体１２Ｒの下端面には、アジャスタ１５が設けられている。アジャスタ１５は、連結デスク１００Ａの高さを調整するための部材である。
【００２１】
図２（Ｂ）に示すように、第１実施形態に係る連結デスク１００Ａは、天板１１の端部側に配置されるエンド脚体として、天板１１の左右両端において下方空間を閉鎖する閉鎖式のパネル脚体１２を採用している。そのため、ダクト１０を外部から見え難くすることができる。これにより、ダクト１０が見えることによる美観の低下を抑制することができる。
【００２２】
＜内側脚体１３＞
図２（Ａ）に示すように、内側脚体１３は、一対のパネル脚体１２，１２の間に配置される脚体である。つまり、内側脚体１３は、下方空間Ｓ１において、パネル脚体１２，１２よりも内側に配置されている。内側脚体１３は、左右に隣接する天板パネルＰ１に亘って天板１１を支持する。内側脚体１３は、天板１１を構成する天板パネルＰ１の左右の端部のうち、パネル脚体１２によって支持されていない端部を支持する。より具体的には、内側脚体１３は、天板パネルＰ１ＦＲ及び天板パネルＰ１ＢＲの左端部と、天板パネルＰ１ＦＬ及び天板パネルＰ１ＢＬの右端部を下方から支持する。また、内側脚体１３の左右両側面は、ビーム１４（即ち、ダクト１０）が取り付けられる取付面（取付部）となる。
【００２３】
図５は、内側脚体１３の右側面図である。以下、図５を参照して内側脚体１３の詳細について説明する。図５に示すように、内側脚体１３は、前後に隣接する一対の脚部材Ｍ１Ｆ，Ｍ１Ｂが連結金具３によって連結されることで、側面視略Ｔ字状に形成されている。脚部材Ｍ１Ｆ，Ｍ１Ｂは、側面視において略Ｌ字状に形成されている。内側脚体１３を形成する脚部材Ｍ１Ｆ，Ｍ１Ｂは、互いに前後対称となるものである。内側脚体１３を形成する脚部材Ｍ１Ｆ，Ｍ１Ｂのうち、前側の脚部材Ｍ１Ｆは、天板パネルＰ１ＦＲの左端部及び天板パネルＰ１ＦＬの右端部を支持し、後側の脚部材Ｍ１Ｂは、天板パネルＰ１ＢＲの左端部及び天板パネルＰ１ＢＬの右端部を支持する。以下、脚部材Ｍ１Ｆの詳細について説明するが、脚部材Ｍ１Ｂについては脚部材Ｍ１Ｆと前後対称となるものであるため、詳細な説明は割愛する。
【００２４】
脚部材Ｍ１Ｆは、前後方向に延在して天板パネルＰ１の左端部又は右端部を支持する梁状の第１水平部材１３１ａと、第１水平部材１３１ａの後端部の下面に接続されて下方向に延在する柱状の第１鉛直部材１３１ｂと、第１鉛直部材１３１ｂと所定の間隔を空けて第１水平部材１３１ａの下面に接続されるとともに下方向に延在する柱状の第２鉛直部材１３２ｂと、前後方向に延在して第１鉛直部材１３１ｂと第２鉛直部材１３２ｂの下端面同士を接続する第２水平部材１３２ａと、を有する。
【００２５】
図５に示すように、脚部材Ｍ１Ｆにおける第２鉛直部材１３２ｂの右側面の上部には、３つのネジ穴が所定の間隔を空けて上下に並んで形成されている。以下、上下に並んだ３つのネジ穴のそれぞれを、上から順に取付穴ｈ２１、取付穴ｈ２２、取付穴ｈ２３と称する。取付穴ｈ２１と取付穴ｈ２３のピッチ間隔（中心間距離）Ｐｔ３は、一対の取付穴ｈ１，ｈ１のピッチ間隔Ｐｔ１（図４参照）と等しい。取付穴ｈ２１、取付穴ｈ２２、取付穴ｈ２３は、ネジ穴に形成されており、脚部材Ｍ１Ｆの右側面には、取付穴ｈ２１と取付穴ｈ２３とを利用してビーム１４ＦＲの左端が接続される。同様に、脚部材Ｍ１Ｂにおける第２鉛直部材１３２ｂの右側面の上部にも、取付穴ｈ２１、取付穴ｈ２２、取付穴ｈ２３が形成されている。脚部材Ｍ１Ｂの右側面には、取付穴ｈ２１と取付穴ｈ２３とを利用してビーム１４ＢＲの左端が接続される。
【００２６】
内側脚体１３は、脚部材Ｍ１Ｆと脚部材Ｍ１Ｂとが、互いの第２鉛直部材１３２ｂ同士が当接した状態で連結金具３によって連結されることで形成されている。なお、内側脚体１３は左右対称に形成されており、左側面については右側面と同様である。また、内側脚体１３の下端面、即ち、第２水平部材１３２ａの下端面には、アジャスタ１５が設けられている。
【００２７】
＜ビーム１４＞
図１に示すように、ビーム１４は、いわゆる横梁部材であり、左右の脚体同士を接続することでデスク体１及び連結デスク１００Ａの強度を確保する機能を有する。また、連結デスク１００Ａにおいては、前後に並んだ一対のビーム１４，１４が対向することで、ダクト１０を形成する。
【００２８】
図６は、ダクト１０Ｒを形成するビーム１４ＦＲの斜視図である。図６では、ビーム１４ＦＲの内側面（背面）を示している。なお、ビーム１４ＦＲと共にダクト１０Ｒを形成するビーム１４ＢＲは、ビーム１４ＦＲと前後対称となるものである。また、ダクト１０Ｌを形成するビーム１４ＦＬは、ビーム１４ＦＲと左右対称となるものであり、ビーム１４ＢＲは、ビーム１４ＢＬと左右対称となるものである。以下、ビーム１４ＦＲを例としてビーム１４について説明し、ビーム１４ＢＲ、ビーム１４ＦＬ、ビーム１４ＢＬについての詳細な説明は割愛する。
【００２９】
ビーム１４は、板金材料を曲げ加工した複数の部材が組み合わされることによって、略直方体の外形を有して形成されている。図６に示すように、ビーム１４は、脚体同士を接続する梁本体部１４１と、梁本体部１４１の内部に設けられて梁本体部１４１を補強する梁補強部１４２と、を有する。
【００３０】
梁本体部１４１は更に、ベース壁１４１１、上側片１４１２、下側片１４１３、右側端壁１４１４Ｒ、左側端壁１４１４Ｌを含む。ベース壁１４１１は、前後方向と直交し、左右方向に長手な矩形状を有する。上側片１４１２は、ベース壁１４１１の上縁から直角に２回折り曲げられて下方に延びている。下側片１４１３は、ベース壁１４１１の下縁から直角に３回折り曲げられてベース壁１４１１側に延びている。右側端壁１４１４Ｒは、左右方向と直交して設けられ、ベース壁１４１１、上側片１４１２、下側片１４１３の右側端縁同士を接続することでビーム１４の右端を形成する。左側端壁１４１４Ｌは、右側端壁１４１４Ｒと対向するように設けられ、ベース壁１４１１、上側片１４１２、下側片１４１３の左側端縁同士を接続することでビーム１４の左端を形成する。梁本体部１４１は、右側端壁１４１４Ｒ及び左側端壁１４１４Ｌにおいて脚体と接続される。
【００３１】
梁補強部１４２は、板金材料を水平方向に複数回折り曲げることによって形成され、横断面視において両端がベース壁１４１１に接続された略コ形状を形成している。梁補強部１４２は、上下方向においてベース壁１４１１の中央付近に設けられており、左右方向においては、右側端壁１４１４Ｒ付近から左側端壁１４１４Ｌ付近まで延在している。
【００３２】
ここで、右側端壁１４１４Ｒと左側端壁１４１４Ｌのそれぞれには、一対の取付穴ｈ３１，ｈ３２が所定の間隔を空けて上下に並んで形成されている。一対の取付穴ｈ３１，ｈ３２は、貫通孔であり、一対の取付穴ｈ３１，ｈ３２のうち、取付穴ｈ３１が上側に位置し、取付穴ｈ３２が下側に位置する。取付穴ｈ３１と取付穴ｈ３２のピッチ間隔Ｐｔ４は、一対の取付穴ｈ１，ｈ１のピッチ間隔Ｐｔ１（図４参照）及び取付穴ｈ２１と取付穴ｈ２３のピッチ間隔Ｐｔ３（図５参照）と等しい。
【００３３】
図７は、図２（Ａ）におけるＡ−Ａ断面図である。ビーム１４ＦＲは、右側端壁１４１
４Ｒに形成された取付穴ｈ３１及び取付穴ｈ３２と脚部材Ｍ１Ｆに形成された取付穴ｈ２１及び取付穴ｈ２３とを利用して、内側脚体１３の脚部材Ｍ１Ｆの右側面に接続される。より具体的には、図７に示すように、左側端壁１４１４Ｌの取付穴ｈ３１を脚部材Ｍ１Ｆの取付穴ｈ２１に位置合わせし、左側端壁１４１４Ｌの取付穴ｈ３２を脚部材Ｍ１Ｆの取付穴ｈ２３に位置合わせした状態で、ボルト等のネジ部材（図示なし）を取付穴ｈ２１及び取付穴ｈ２３に挿入・螺合することでビーム１４ＦＲと脚部材Ｍ１Ｆとが接続される。同様に、ビーム１４ＦＲは、右側端壁１４１４Ｒに形成された取付穴ｈ３１及び取付穴ｈ３２と脚体パネルＰ２ＦＲに形成された一対の取付穴ｈ１，ｈ１とを利用して、脚体パネルＰ２ＦＲの左側面に接続される（図１参照）。このようにして、ビーム１４ＦＲによってパネル脚体１２Ｒの脚体パネルＰ２ＦＲと内側脚体１３の脚部材Ｍ１Ｆとが接続される。同様に、ビーム１４ＢＲによってパネル脚体１２Ｒの脚体パネルＰ２ＢＲと内側脚体１３の脚部材Ｍ１Ｂとが接続され、ビーム１４ＦＬによってパネル脚体１２Ｌの脚体パネルＰ２ＦＬと内側脚体１３の脚部材Ｍ１Ｆとが接続され、ビーム１４ＢＬによってパネル脚体１２Ｌの脚体パネルＰ２ＢＬと内側脚体１３の脚部材Ｍ１Ｂとが接続される。
【００３４】
＜ダクト１０＞
図１に示すように、連結デスク１００Ａでは、上述した一対のビーム１４，１４が前後に対向するようにして設けられる。一対のビーム１４，１４が前後に対向することで、各種の配線を収容可能なダクト１０が左右に延びて形成されている。図２（Ａ）に示すように、ダクト１０は、天板１１の下方に形成された下方空間Ｓ１において、内側脚体１３からパネル脚体１２まで延在している。
【００３５】
図８は、図１に示すダクト１０の延在方向（即ち、左右方向）に直交する断面図であって、ダクト１０にオプションパーツとしての配線トレイ４が架設された状態を示す図である。図８に示すように、ダクト１０の内部においては、互いに対向するビーム１４，１４のそれぞれの下側片１４１３同士が対向している。対向する下側片１４１３,１４１３の
上端同士は同一の高さに位置する。また、ダクト１０の内部においては、互いに対向するビーム１４，１４のそれぞれの梁補強部１４２同士が対向している。対向する梁補強部１４２,１４２の上端同士は同一の高さに位置する。連結デスク１００Ａは、この対向する
下側片１４１３，１４１３及び梁補強部１４２,１４２を利用して、配線を載置可能な配
線トレイ４をダクト内に配置することができる。配線トレイ４は、板金材料を水平方向に複数回折り曲げることによって形成される。図８に示すように、配線トレイ４は、配線が載置される部位である載置部４１と、載置部４１をビーム１４に取り付けるための一対の取付片４２，４２と、を有する。取付片４２，４２は、載置部４１の前後の両縁に設けられている。取付片４２は、載置部４１に対して段差を形成しており、一対の取付片４２，４２における段差の高さは互いに等しい。この配線トレイ４は、対向するビーム１４，１４の下側片１４１３又は梁補強部１４２に架設することができる。具体的には、配線トレイ４は、ダクト１０内の一対の下側片１４１３，１４１３の間に載置部４１が挟まれた状態で一対の下側片１４１３，１４１３上に一対の取付片４２，４２が載置されることで、一対の下側片１４１３，１４１３に横架される。また、配線トレイ４は、ダクト１０内の一対の梁補強部１４２,１４２の間に載置部４１が挟まれた状態で一対の梁補強部１４２,１４２の上に一対の取付片４２，４２が載置されることで、一対の梁補強部１４２,１４
２に横架される。このように、連結デスク１００Ａは、ビーム１４が下側片１４１３と梁補強部１４２とをそれぞれ備えることで、下側片１４１３，１４１３及び梁補強部１４２,１４２を利用して、配線トレイ４を２段に設けることができる。つまり、ダクト１０内
の配線を上下２段に分けて収容することができる。その結果、ダクト１０を配線の収容空間としてより有効に利用することができる。
【００３６】
なお、図１に示すように、前後方向に並んだ天板パネルＰ１と天板パネルＰ１とが、所定の間隔を空けて配置されることで、ダクト１０と天板１１の上方の空間とを連通する開
口であるダクト開口１１０が形成されている。ダクト開口１１０には、ダクト１０を開閉するためのダクトカバー２が設けられている。ダクトカバー２を取り外してダクト開口１０ａを開くことで、天板１１に載置されたＰＣ等の電子機器の配線をダクト１０内に引き入れることができる。
【００３７】
＜連結デスク１００Ｂ＞
図９は、第１実施形態に係る連結デスクの一例を示す全体斜視図である。図１０は、連結デスクを示す図であり、図１０（Ａ）は、図９に示す連結デスクの正面図、図１０（Ｂ）は、右側面図である。また、図１１は、図９に示す連結デスクの分解図である。図９に示す連結デスク１００Ｂは、天板１１及び内側脚体１３を図１に示した連結デスク１００Ａと共通としながらも、パネル脚体１２に代えてオープン脚体１６を用い、ダクト１０に代えてダクト２０が設けられている点で連結デスク１００Ａと相違する。図１０（Ａ）及び図１０（Ｂ）に示すように、オープン脚体１６は、天板１１の左右両端において下方空間Ｓ１を開放する開放式のエンド脚体である。また、ダクト２０は、ダクト１０よりも上下幅が短く（浅く）なっている。以下、連結デスク１００Ｂについて、連結デスク１００Ａと相違する構成を中心に説明し、連結デスク１００Ａとの共通の構成については同一の符号を付すことにより詳細な説明は割愛する。なお、図９に示すように、一対のオープン脚体１６，１６を区別して説明する場合、右側のオープン脚体１６をオープン脚体１６Ｒと称し、左側のオープン脚体１６をオープン脚体１６Ｌと称する。また、内側脚体１３からオープン脚体１６Ｒまで延在するダクト２０をダクト２０Ｒと称し、内側脚体１３からオープン脚体１６Ｌまで延在するダクト２０をダクト２０Ｌと称する。
【００３８】
＜オープン脚体１６＞
まず、連結デスク１００Ｂにおけるエンド脚体であるオープン脚体１６について説明する。図９に示すように、一対のオープン脚体１６，１６は、下方空間において天板１１の左右両端側に配置され、天板１１の左右両端を下方から支持する。より詳細には、オープン脚体１６Ｒは、天板１１における天板パネルＰ１ＦＲ及び天板パネルＰ１ＢＲの右端部を下方から支持する。また、オープン脚体１６Ｌは、天板１１における天板パネルＰ１ＦＬ及び天板パネルＰ１ＢＬの左端部を下方から支持する。図１０（Ｂ）に示すように、オープン脚体１６は、天板１１の左右両端において下方空間Ｓ１を開放する閉鎖式のエンド脚体である。オープン脚体１６は、側面視において下方が開放した略コ字状に形成されており、前後対称の形状を有する。
【００３９】
図１２は、オープン脚体１６Ｒの左側面図である。以下、図１２を参照しながらオープン脚体１６Ｒを例としてオープン脚体１６の詳細について説明する。オープン脚体１６Ｌについてはオープン脚体１６Ｒと左右対称となるものであるため、詳細な説明は割愛する。図１２では、オープン脚体１６Ｒの内面（即ち、左側面）が図示されている。図１２に示すように、オープン脚体１６Ｒは、前後方向に延在して天板パネルＰ１ＦＲ及び天板パネルＰ１ＢＲの右端部を支持する梁状の水平部材１６１と、水平部材１６１の両端から下方に延びる柱状の一対の脚１６２，１６２と、を有する。一対の脚１６２，１６２の下端面には、アジャスタ１５がそれぞれ設けられている。
【００４０】
図１２に示すように、一対の脚１６２，１６２が前後方向に離間して配置されることにより、一対の脚１６２，１６２の間には、下方空間Ｓ１と周囲の空間とを連通する脚体開口１２０が形成されている。これにより、天板１１の右端部において下方空間が開放されている。
【００４１】
図１２に示すように、水平部材１６１の内面の前後方向における中央には、複数の取付穴ｈ４が形成されている。複数の取付穴ｈ４は、それぞれネジ穴に形成されている。水平部材１６１の内面には、複数の取付穴ｈ４を利用してダクト２０が接続される。ダクト２
０は、前後方向において一対の脚１６２，１６２の間に配置される。
【００４２】
第１実施形態に係る連結デスク１００Ｂは、エンド脚体として、天板１１の左右両端において下方空間を開放する開放式のオープン脚体１６を採用している。そのため、オープン脚体１６側から連結デスク１００Ｂが見られたときに、足元をすっきり見せることができ、見た者に開放感を与えることができる。また、エンド脚体を開放式のオープン脚体１６とすることで、使用者がオープン脚体１６側に着座して脚体開口１２０から下方空間Ｓ１に下肢を収容し、連結デスク１００Ｂを利用することができる。
【００４３】
＜ダクト２０＞
図１３及び図１４は、ダクト２０の斜視図である。以下、図１３及び図１４を参照しながらダクト２０Ｒを例としてダクト２０について説明し、ダクト２０Ｌについてはダクト２０Ｒと左右対称のものであるため、詳細な説明は割愛する。ダクト２０は、全体として、ダクト１０よりも上下幅が短く設定されている。図１３及び図１４に示すように、ダクト２０は、前後に対向配置された一対のビーム１７，１７と、一対のビーム１７，１７の右端部に接続されたダクトエンド部材１８と、一対のビーム１７，１７の左端部にそれぞれ接続された一対のダクト接続部材１９，１９とを含んで構成されている。
【００４４】
ビーム１７は、ベース壁１７１、上側片１７２、下側片１７３を含む。ベース壁１７１は、前後方向と直交し、左右方向に長手な矩形状を有する。上側片１７２は、ベース壁１７１の上縁から直角に３回折り曲げられてベース壁１７１側に延びている。下側片１７３は、ベース壁１７１の下縁から直角に３回折り曲げられてベース壁１７１側に延びている。一対のビーム１７，１７において、互いの上側片１７２及び下側片１７３が向き合っている。ベース壁１７１は、ビーム１４のベース壁１４１１と比較して、上下幅が短く設計されている。
【００４５】
ダクトエンド部材１８は、一対のビーム１７，１７をオープン脚体１６に接続するための部位である。ダクトエンド部材１８は、板金材料を曲げ加工した複数の部材が組み合わされることによって、正面視略台形状の箱状に形成されている。ダクトエンド部材１８は、前後に対向する一対の側壁１８１，１８１と、一対の側壁１８１，１８１の下縁同士を接続する底壁１８２と、を有する。図１０（Ａ）に示すように、底壁１８２は、右端部（オープン脚体１６Ｒ側）に向かうに従って上方に傾斜する形状となっている。また、一対の側壁１８１，１８１と底壁１８２とによって囲まれた空間には、タップ等を収容可能である。図１４に示すように、底壁１８２には、外部からテーブルタップにアクセス可能とするためのアクセス開口１８２１が形成されている。また、図１３及び図１４に示すように、ダクトエンド部材１８の右端部には、オープン脚体１６に形成された複数の取付穴ｈ４に対応する貫通孔である複数の取付穴ｈ５が形成されている。
【００４６】
ダクト接続部材１９は、板金材料が曲げ加工されることによって形成される。図１３に示すように、ダクト接続部材１９は、前後方向に直交する側壁１９１と、側壁１９１の左縁から直角に折り曲げられて左右方向と直交する接続壁１９２と、を有する。接続壁１９２は、ダクト２０の左端を形成する。図１３に示すように、接続壁１９２には、一対の取付穴ｈ６１，ｈ６２が所定の間隔を空けて上下に並んで形成されている。一対の取付穴ｈ６１，ｈ６２は、貫通孔である。一対の取付穴ｈ６１，ｈ６２のうち、取付穴ｈ６１が上側に位置し、取付穴ｈ６２が下側に位置する。取付穴ｈ６１と取付穴ｈ６２のピッチ間隔Ｐｔ５は、取付穴ｈ２１と取付穴ｈ２２のピッチ間隔Ｐｔ２（図５参照）と等しい。
【００４７】
図１５は、図１０（Ａ）におけるＢ−Ｂ断面図である。ダクト２０Ｒは、一対のダクト接続部材１９，１９に形成された取付穴ｈ６１及び取付穴ｈ６２と内側脚体１３に形成された取付穴ｈ２１及び取付穴ｈ２２とを利用して、内側脚体１３の右側面に接続される。
より具体的には、図１５に示すように、一対のダクト接続部材１９，１９の取付穴ｈ６１を内側脚体１３の取付穴ｈ２１に位置合わせし、取付穴ｈ６２を内側脚体１３の取付穴ｈ２２に位置合わせした状態で、ボルト等のネジ部材（図示なし）を取付穴ｈ２１及び取付穴ｈ２２に挿入・螺合することでダクト２０Ｒと内側脚体１３とが接続される。同様に、ダクト２０Ｒは、ダクトエンド部材１８に形成された複数の取付穴ｈ５とオープン脚体１６に形成された複数の取付穴ｈ４とを利用して、オープン脚体１６の左側面に接続される。このようにして、ダクト２０Ｒによってオープン脚体１６Ｒと内側脚体１３とが接続される。同様にして、ダクト２０Ｌによってオープン脚体１６Ｌと内側脚体１３とが接続される。
【００４８】
ここで、天板１１の下面からのダクトの下端までの距離を、ダクトの深さとする。連結デスク１００Ａのダクト１０の深さをＸ１とし、連結デスク１００Ｂのダクト２０の深さをＸ２とする。図２（Ａ）及び図１０（Ａ）に、Ｘ１及びＸ２をそれぞれ図示する。第１実施形態に係る連結デスク１００では、Ｘ１＞Ｘ２となる。つまり、連結デスク１００Ｂのダクト２０は、連結デスク１００Ａのダクト１０よりも浅く形成されている。上述のように、連結デスク１００Ｂは、開放式のオープン脚体１６をエンド脚体として採用しており、天板１１の左右両端において下方空間Ｓ１が開放されている。更に、連結デスク１００Ｂは、ダクト２０を浅く形成することで、ダクト２０を目立たなくしている。その結果、オープン脚体１６を採用したことによって足元をすっきり見せつつも、ダクト２０が見えることによる美観の低下が抑制されている。
【００４９】
ここで、上述のように、ダクトエンド部材１８の内部にはタップを収容可能であり、傾斜した底面１７２２にアクセス開口１８２１が形成されている。そして、連結デスク１００Ｂでは、エンド脚体を天板１１の端部の下方が開放されたオープン脚体１６としている。そのため、図１０（Ｂ）に示すように、アクセス開口１８２１がオープン脚体１６によって隠蔽されずに露出した状態となる。そのため、下方空間の外部からアクセス開口１８２１を通じてタップにアクセスすることが可能となっている。
【００５０】
図１６は、図９に示すダクト２０の延在方向（即ち、左右方向）に直交する断面図であって、ダクト２０に配線トレイ４が架設された状態を示す図である。図１６に示すように、ダクト２０の内部においては、互いに対向するビーム１７，１７のそれぞれの下側片１７３同士が対向している。連結デスク１００Ｂは、この対向する下側片１７３，１７３を利用して、配線トレイ４をダクト２０内に配置することができる。具体的には、配線トレイ４は、ダクト２０内の一対の下側片１７３，１７３の間に載置部４１が挟まれた状態で一対の下側片１７３，１７３上に取付片４２が載置されることで、一対の下側片１７３，１７３に横架される。ここで、図８及び図１６に示すように、ダクト１０においてトレイ４を横架可能な下側片１４１３と、ダクト２０においてトレイ４を横架可能な下側片１７３は、断面形状を同一としている。そのため、連結デスク１００Ａと連結デスク１００Ｂとでダクトの深さを異ならせつつも、配線トレイ４等のオプションパーツを共通で利用することができる。
【００５１】
＜下肢空間＞
上述のように、エンド脚体を開放式のオープン脚体１６とすることで、使用者がオープン脚体１６側から脚体開口１２０から下方空間に下肢を収容することができる。ここで、図１７は、使用者の下肢のための空間（以下、下肢空間）を説明するための図である。上述したように、底壁１８２は、オープン脚体１６に向かうに従って上方に傾斜する形状となっている。そのため、図１７に示すように、ダクト２０におけるオープン脚体側の端部は、ダクト深さがオープン脚体１６に向けて徐々に減少するテーパ状となっている。これにより、下肢空間を広く確保することができる。
【００５２】
ここで、ＪＩＳ  Ｓ１０１０の表Ｂ．２には、会議用テーブルにおいて下肢空間を確保するために望ましいとされるテーブル各部の寸法が記載されている。図１７中、ドットパターンで示す領域Ａ１は、ＪＩＳ  Ｓ１０１０の表Ｂ．２に記載された寸法に基づく、会議用テーブルにおいて推奨される下肢空間（ＪＩＳ推奨下肢空間）を示している。ＪＩＳ推奨下肢空間は、即ち、会議用テーブルにおいて最低限確保されることが望ましい下肢空間を示している。図１７に示すように、第１実施形態に係る連結デスク１００Ｂでは、オープン脚体１６側に向けてテーパ状にすることによって、ＪＩＳ推奨下肢空間Ａ１を確保している。
【００５３】
＜効果＞
以上のように、第１実施形態に係る連結デスク１００は、天板パネルＰ１と天板パネルＰ１を下方から支持する脚体とを有する複数のデスク体１が、隣接するデスク体１同士で脚体を共有することで連結された連結デスクである。そして、連結デスク１００は、複数の天板パネルＰ１が並ぶことで形成された天板１１と、天板１１の下方に形成された空間である下方空間Ｓ１において天板１１の端部側に配置された脚体であるパネル脚体１２と、下方空間においてパネル脚体１２よりも内側に配置された脚体である内側脚体１３と、天板１１の下面に沿って内側脚体１３からパネル脚体１２まで延在し、被収容物を収容可能なダクト１０又はダクト２０と、を有する。そして、内側脚体１３は、深さの異なる２種類のダクト１０又はダクト２０を選択的に取り付け可能であり、内側脚体１３に相対的に深いダクト１０を取り付ける場合、パネル脚体１２を、天板１１の端部の下方を閉鎖するパネル脚体１２とし、内側脚体１３に相対的に浅いダクト２０を取り付ける場合、エンド脚体を、天板１１の端部の下方を開放するオープン脚体１６とする。
【００５４】
このような連結デスク１００によれば、相対的に深いダクト１０を取り付ける場合にエンド脚体をパネル脚体１２とすることで、ダクト１０を外部から見え難くすることができる。その結果、ダクト１０の収容部の容積を大きく確保しつつも、ダクト１０が見えることによる美観の低下を抑制できる。一方、相対的に浅いダクト２０を取り付ける場合にエンド脚体をオープン脚体１６とすることで、足元をすっきり見せ、見た者に開放感を与えることができる。このとき、ダクト２０を相対的に浅く形成していることで、ダクト２０を目立たなくしている。その結果、オープン脚体１６にしたことによって足元をすっきり見せつつも、ダクト２０が見えることによる美観の低下を抑制できる。また、エンド脚体を開放式のオープン脚体１６とした場合、使用者がオープン脚体１６側に着座して脚体開口１２０から下方空間Ｓ１に下肢を収容し、連結デスク１００Ｂを利用することができる。
【００５５】
つまり、連結デスク１００は、内側脚体１３に深さの異なる２種類のダクト１０又はダクト２０を選択的に取り付け可能とすることで、内側脚体１３を共通部品としつつも、連結デスクに求められる美観及び機能に応じて、相対的に深いダクト１０とパネル脚体１２の組み合わせと、相対的に浅いダクト２０とオープン脚体１６の組み合わせとのうち、何れかを選択可能とすることができる。即ち、求められる美観及び機能に応じて、天板１１の端部の下方を閉鎖することと天板１１の端部の下方を開放することとを選択可能とすることができる。
【００５６】
また、連結デスク１００は、エンド脚体を開放式のオープン脚体１６とした場合、ダクト２０がオープン脚体１６側の端部の深さがオープン脚体１６に向けて徐々に減少するテーパ状となっているため、下肢空間を広く確保することができる。
【００５７】
なお、天板１１を構成する天板パネルＰ１、内側脚体１３、ダクト１０又はダクト２０の数量は、これまで説明した数量に限定されない。例えば、連結デスク１００は、天板パネルＰ１を左右３列とし、内側脚体１３を２つ設け、ダクトを３つ設けてもよい。また、
連結デスク１００は、天板パネルＰ１を前後１列のみとしてもよい。また、連結デスク１００は、天板１１の両端を支持する一対のエンド脚体のうち、一方をパネル脚体１２とし、他方をオープン脚体１６としてもよい。その場合、内側脚体１３とパネル脚体１２とが相対的に深いダクト１０で接続され、内側脚体１３とオープン脚体１６とが相対的に浅いダクト２０で接続される。
【００５８】
＜連結デスク１００Ｂの変形例１＞
連結デスク１００Ｂは、ダクト２０と、エンド脚体をオープン脚体１６とすることで形成された脚体開口１２０と、を利用して、様々なオプションパーツを取り付けることができる。図１８は、第１実施形態の連結デスク１００Ｂにオプションパーツとしての拡張天板パネルＰ１１が取り付けられた状態を示す図である。図１８に示すように、第１実施形態に係る連結デスク１００Ｂは、天板１１に隣接する拡張天板パネルＰ１１を取り付けることができる。図１８に示すように、ダクト２０のオープン脚体側の端部には、パネル支持部５を取り付け可能となっている。パネル支持部５は、オープン脚体１６を跨いで脚体開口１２０から下方空間Ｓ１の外側に張り出しており、上面に拡張天板パネルＰ１１を支持可能となっている。拡張天板パネルＰ１１は、天板１１に隣に追加されることで天板１１を拡張することができる。
【００５９】
＜連結デスク１００Ｂの変形例２＞
図１９は、第１実施形態の連結デスク１００Ｂにオプションパーツとしてのモニタ（ディスプレイ）７が取り付けられた状態を示す図である。図１９に示すように、第１実施形態に係る連結デスク１００Ｂは、天板１１の上方にモニタ７を取り付けることができる。図１９に示すように、ダクト２０のオープン脚体１６側の端部には、モニタ支持部６を取り付け可能となっている。モニタ支持部６は、パネル支持部５と同様に、オープン脚体１６を跨いで脚体開口１２０から下方空間Ｓ１の外側に張り出しており、上面にモニタ７を支持可能となっている。
【００６０】
＜第２実施形態＞
図２０は、第２実施形態に係る連結デスク２００の一例を示す全体斜視図である。図２０に示すように、連結デスク２００では、上面視略Ｌ字状に形成された４枚の天板パネルＰ２０１が組み合わさることで上面視クロス状の天板２１１が形成されている。天板２１１に形成された４つの端部は、脚体によって支持されている。内側脚体２１３には、ダクト１０とダクト２０とが直交して取り付けられている。より具体的には、２つのダクト１０，１０が内側脚体２１３を挟んで互いに平行に延びており、２つのダクト２０，２０が内側脚体２１３を挟んでダクト１０，１０と直交する方向に延びている。ダクト１０の内側脚体２１３とは反対側の端部には、パネル脚体１２が接続されている。また、ダクト２０の内側脚体２１３とは反対側の端部には、オープン脚体１６が接続されている。
【００６１】
図２１は、内側脚体２１３を示す図であり、図２１（Ａ）は、内側脚体２１３の上面図、図２１（Ｂ）は、内側脚体２１３の側面図である。内側脚体２１３は、概略四角柱状に形成されており、図２１（Ａ）に示すように、内側脚体２１３を構成する４つの側面２１３ａは、上面視において略矩形状を形成する。図２１（Ｂ）に示すように、側面２１３ａには、内側脚体１３と同様に、ダクト１０及びダクト２０に対応する位置に取付穴ｈ２１、取付穴ｈ２２、取付穴ｈ２３が形成されている。これにより、側面２１３ａは、ダクト１０又はダクト２０を取り付け可能な取付面（取付部）となる。側面２１３ａが四角柱の側面を構成することで、内側脚体２１３に取り付けられた複数のダクトを、互いに直交する方向に延在させることができる。
【００６２】
以上のように、連結デスク２００の内側脚体２１３は、複数のダクトを互いに異なる方向に延在するように取り付け可能である。これにより、一方向にダクトが延在する場合よ
りもダクトの数量を増やすことができる。その結果、配線の収容空間を大きく確保することができる。なお、複数のダクトを互いに異なる方向に延在させるのには、内側脚体２１３が互いに平行でない２以上の取付面を有していればよい。
【００６３】
＜第３実施形態＞
図２２は、第３実施形態に係る連結デスク３００の一例を示す全体斜視図である。図２２に示すように、連結デスク３００では、上面視略ヘ字状に形成された３枚の天板パネルＰ３０１が組み合わさることで上面視略Ｙ字状の天板３１１が形成されている。天板３１１に形成された３つの端部は、脚体によって支持されている。内側脚体３１３には、ダクト２０が３方向に放射状に延在して取り付けられている。各ダクト２０の内側脚体３１３とは反対側の端部には、オープン脚体１６が接続されている。
【００６４】
図２３は、内側脚体２１３を示す図であり、図２３（Ａ）は、内側脚体３１３の上面図、図２３（Ｂ）は、内側脚体３１３の側面図である。内側脚体３１３は、概略三角柱状に形成されており、図２３（Ａ）に示すように、内側脚体３１３を構成する３つの側面３１３ａは、上面視において略三角形状を形成する。図２３（Ｂ）に示すように、側面３１３ａには、内側脚体１３と同様に、ダクト１０及びダクト２０に対応する位置に取付穴ｈ２１、取付穴ｈ２２、取付穴ｈ２３が形成されている。これにより、側面３１３ａは、ダクト１０又はダクト２０を取り付け可能な取付面（取付部）となる。側面３１３ａが三角柱の側面を構成することで、内側脚体３１３に取り付けられた複数のダクトを互いに異なる方向に延在させることができる。
【００６５】
なお、本発明の実施にあたっては、上記実施形態に限定されるものではなく、上記実施形態で説明した構成は、目的を逸脱しない範囲内で種々の変形改良が可能であることは容易に推察できるものである。例えば、上記実施形態では、内側脚体に深さの異なる２種類のダクトを選択的に取り付け可能としたが、深さの異なるダクトの種類の数は、３以上であってもよい。即ち、本発明は、内側脚体に深さの異なる少なくとも２種類のダクトを選択的に取り付け可能であればよい。
【符号の説明】
【００６６】
１・・・・・・・・・・・・・・・・・・・・・・・デスク体
２・・・・・・・・・・・・・・・・・・・・・・・ダクトカバー
３・・・・・・・・・・・・・・・・・・・・・・・連結金具
４・・・・・・・・・・・・・・・・・・・・・・・配線トレイ
５・・・・・・・・・・・・・・・・・・・・・・・パネル支持部
５・・・・・・・・・・・・・・・・・・・・・・・パネル支持部
６・・・・・・・・・・・・・・・・・・・・・・・モニタ支持部
７・・・・・・・・・・・・・・・・・・・・・・・モニタ
１１，２１１，３１１・・・・・・・・・・・・・・天板
１２・・・・・・・・・・・・・・・・・・・・・・パネル脚体
１３，２１３，３１３・・・・・・・・・・・・・・内側脚体
１４・・・・・・・・・・・・・・・・・・・・・・ビーム
１５・・・・・・・・・・・・・・・・・・・・・・アジャスタ
１６・・・・・・・・・・・・・・・・・・・・・・オープン脚体
１０，２０・・・・・・・・・・・・・・・・・・・ダクト
１００，１００Ａ，１００Ｂ，２００，３００・・・連結デスク
Ｓ１・・・・・・・・・・・・・・・・・・・・・・下方空間
Ｐ１・・・・・・・・・・・・・・・・・・・・・・天板パネル
Ｐ１１・・・・・・・・・・・・・・・・・・・・・拡張天板パネル
Ｐ２・・・・・・・・・・・・・・・・・・・・・・脚体パネル
【図１】
2020069330.tif 000003
【図２】
2020069330.tif 000004
【図３】
2020069330.tif 000005
【図４】
2020069330.tif 000006
【図５】
2020069330.tif 000007
【図６】
2020069330.tif 000008
【図７】
2020069330.tif 000009
【図８】
2020069330.tif 000010
【図９】
2020069330.tif 000011
【図１０】
2020069330.tif 000012
【図１１】
2020069330.tif 000013
【図１２】
2020069330.tif 000014
【図１３】
2020069330.tif 000015
【図１４】
2020069330.tif 000016
【図１５】
2020069330.tif 000017
【図１６】
2020069330.tif 000018
【図１７】
2020069330.tif 000019
【図１８】
2020069330.tif 000020
【図１９】
2020069330.tif 000021
【図２０】
2020069330.tif 000022
【図２１】
2020069330.tif 000023
【図２２】
2020069330.tif 000024
【図２３】
2020069330.tif 000025